(57)【要約】      （修正有）【課題】緩くて着用感が劣る指輪の回転を防止し、かつ指輪の着脱が容易で使用感を向上させる留め具を提供する。【解決手段】弾力性を有する素材で成り、リングの周面に沿って湾曲３する底面を有し、断面の形状が台形状の多角形をなす細長い棒状の本体２の長手方向の両端面に貫通する末広がりの溝を刻設し、溝の口部につめ５を施す。さらに、該本体２の長手底辺部から垂直に立ち上がり更に内側に向けて傾斜する側面ｇを形成して指輪１の回転を防止する留め具を構成する。【選択図】図３
0003167225.tif 000002
【実用新案登録請求の範囲】
【請求項１】
弾力性を有する素材で成り、リングの周面に沿って湾曲する底面を有する、断面の形状が台形状の多角形をなす細長い棒状の本体の長手方向の両端面に貫通する末広がりの溝を刻設し、溝の口部につめを施してなり、該本体の長手底辺部から垂直に立ち上がり更に内側に向けて傾斜する側面を形成する形状の指輪の回転を防止する留め具。
【考案の詳細な説明】
【技術分野】
【０００１】本考案は、指輪本来の着用位置において、指輪の回転を防止する留め具による。
【背景技術】
【０００２】  本来、指輪のサイズは、はめようとする指の最も太い部分に合わせて決まるので、指輪本来の着用位置よりその他の部分（例えば節）が太い場合は着用時に指輪が回転しやすい。又、真珠や宝石等の重さのある装飾物がついている指輪はさらに回転しやすい。従来、この問題を解決すべく技術の発明及び考案がでている。【０００３】  略円筒形の回転体で、本体を回転させながらサイズ調整を行う留め具がある。また、凹状のチューブタイプのずれ防止具がある。さらに、略縦長形状で指と指輪の間に差し込むことにより防止するパットがある。またさらに、指輪の内周面及び幅に合わせて形成された細長い本体と、その中央の１対のフックにより固定する回り止め具がある。
【先行技術文献】
【特許文献】
【０００４】
【特許文献１】  特開２００１−１２０３１４号公報
【特許文献２】  特開平５−６５２１５号公報
【特許文献３】  特開平１１−２４４０１６号公報
【特許文献４】  実開平５−９３１４号公報
【考案の概要】
【考案が解決しようとする課題】
【０００５】  しかしながら上記従来例にはそれぞれ次のような欠点が考えられる。【０００６】  本体が略円筒形で本体を回転させることでサイズ調整を行う留め具は、着用位置が指の掌側であり、構造上において他の力が加わる（例えば物を持つ、掌をこすり合わせる等）ことにより、留め具の回転が生じ、孔の形状も指輪の断面が略半円形であるという想定で考案されているので、略半円形及びリングの幅と厚さが同一の場合に限られ、一般的に多く商品化されている指輪の形状は湾曲する板状に面取りを施されたもので、孔の中で回転によるサイズ調整は困難と考えられる。【０００７】  また、本体の形状が凹状のチューブタイプという構造は、指と指輪の間のみ固定が生じるため、上記従来例と同様に他の力が加わることで、チューブの一部に反り返りが予想され、確実な固定には至らない。【０００８】  また、本体の形状が略縦長形で、柔軟性や弾力性を有する素材及び構造により、その特性をいかし考案されたパットは、上記従来例と同様に、物を握る又は持つといったような指の曲げ伸ばしや、手を洗う又は掌をこすり合わせる等の日常的動作で、パットのずれや反り返りが予想される。また、素材の防水性や摩耗度にも疑問が生じる。さらに、手は、甲を外向きに膝や物の上に乗せておく場合が多いので外見を損なわないとするパットは、本来、手のあらゆる状態を想定すべきで、一見して、本体の露出度が高く、美観を損なうものと思われる。【０００９】  またさらに、指輪の内周面及び幅に合わせて形成された細長い本体と、中央に位置する１対のフックにより、指輪を固定する回り止め具は、上記従来例（特開２００１−１２０３１４公報）と同様に、指輪の断面が略半円形であるという想定のもとに考案されており、本体の幅及びフックの内側の形状が着用しようとする指輪の幅や厚さ及び厚みの形状が完全に一致しなければ、確実な固定力に至らない。この考案の他の実施例においても同様である。【００１０】  略縦長形のパットを除く上記各従来例は、多様な指輪の断面の形状及び指輪の幅や厚さ及び素材の弾力性でも解決できない指と指輪のサイズ差に対応されていない。以上のような問題を解決する手段を課題とする。
【課題を解決するための手段】
【００１１】  本考案は、弾力性を有する素材で成り、リングの周面に沿って湾曲する底面を有する、断面の形状が台形状の多角形をなす細長い棒状の本体の長手方向の両端面に貫通する末広がりの溝を刻設し、溝の口部につめを施してなり、該本体の長手底辺部から垂直に立ち上がり更に内側に向けて傾斜する側面を形成する形状の指輪の回転を防止する留め具による。
【考案の効果】
【００１２】  本考案は、多様な形状やサイズをもつ指輪と着用位置での指と指輪のサイズ差に対応し、緩い指輪や重さのある装飾物がついている指輪の回転を防止する。指輪を固定することで、着用感の向上と共に装着時のストレスを軽減する効果もある。また、弾力性及び透明性をもつ素材を使用することで、違和感が軽減され又皮膚や指輪の損傷及び装飾性の損失も少ない。また体重減少等による指輪のサイズダウンも、サイズ直し不要で着用できる。またさらに、一般的な金属性の指輪は、金やプラチナや銀等を素材とし、装飾性を持つ反面、傷がつきやすいという特性がある。指輪の掌側の着用位置が、物を握る・持つ等の日常的動作で、通常、傷つくことが多く、本体を着用することで防止できる利点がある。
【図面の簡単な説明】
【００１３】
【図１】本考案の第１実施例を示す指輪の回転を防止する留め具の斜視図である。
【図２】図１の本考案の断面図である。
【図３】本考案の形状が許容範囲限界を示す図である。
【図４】図１の考案本体の１実施例を示す装着状態図である。
【実施例】
【００１４】  以下、この考案の本体を図面に基づいて詳細に説明する。
図１は、本考案の一実施例を示す指輪の回転を防止する留め具の斜視図である。この本体２は、弾力性を有する素材からなり、リング周面に沿って湾曲する底面を有し、断面が台形状の多角形をなす細長い棒状の多面体である。更に、本体２の長手方向の両端面に貫通する末広がりの溝４を刻設し、その溝４の口部につめ５が施してある。また更に、本体２の長手底辺部から垂直に立ち上がり、内側に向けて傾斜する側面ｉをもつ形状である。
図２は、本体２の断面図であり、断面が略台形で指輪を固定する部分ａと、断面がリング周面に沿う湾曲３する略横長形で、指輪本来の着用位置の指と指輪のサイズ差を調整する部分ｂの、２種類の断面（ａとｂ）から成る一体構造を示す。
まず、断面が略台形で指輪を固定する部分ａは、両端につめ５を設けた末広がりの溝４がある。この溝４に、指輪１をはめた時、本体２のつめ５に連なる本体２の傾斜する側面ｉと溝４の側面ｇからなる部分ｄは、一旦、本体２の傾斜する側面ｉ方向に押し出される。本体２が弾力性を有する素材のため、再び溝４の側面ｇ方向に戻ろうとする。この時、溝４の底面ｈと側面ｇとつめ５の下面ｆが指輪を支え、本体の外に突出することなく、溝４内に収まりを得る。
次に、断面がリング周面に沿う湾曲３する略横長形で、指輪の着用位置の指と指輪のサイズ差を調整する部分ｂは、通常、指と指輪のサイズ差が、個人差は勿論、当人における一日の時間帯或いは日によって、むくみ等により変化が起きるので、指輪の着用感や固定力に対して、最も重要となる。以上のことから、指輪を固定する部分ａと指と指輪のサイズ差を調整する部分ｂの互いの作用により、指輪の回転を防止するものである。
さらに、図１及び図２で示す本体は、その形状や構造により、着用位置での指輪の形状を問わず、また、指輪の幅や厚さに対して、対応できる範囲に幅があることを特徴とする。
また、図２及び図３は、着用位置が湾曲する板状に面取りを施してある一般的な指輪を一例とし、幅や厚さが異なる指輪を本体２にはめた装着状態の断面を示す。また、図２と図３を比べることで、本体２の断面の変化と指輪の収まり具合を表わす。ｃとｅは、それぞれの指輪の幅と厚さの許容範囲を示し、図３は、本体２の形状が許容範囲の限界を示す図である。指輪の幅と厚さが、許容範囲（ｃとｅ）を超えるサイズの指輪の使用に対しては、本体２は別サイズとなり、縦長又は幅広の形状となる。また、図２で示す指輪の幅が極めて細いものに使用する時は、本体２のつめ５が互いに密着し合う幅狭の形状にもなる。
また、指輪の着用感や固定力に対して、最も重要となる部分ｂは、サイズを調整するにあたり、例えば、業界の指輪の規定サイズは指輪の直径に０．５ｍｍの段階により実数表示しているので、指と指輪のサイズ差も同様に、０．５ｍｍ或いは１ｍｍの段階を用いて、サイズ別にて対応してもよい。
以上のように、例えば、縫い針が糸の太さによって穴の大きさや針の太さ及び長さが異なるように、この留め具も指輪の幅や指輪の厚さ及び着用位置での指と指輪のサイズ差に応じて、安定した固定力を保ち着用感を向上させるために、それぞれの組み合わせにより、サイズ別を数種類は必要となる。
しかしながら、本考案の本体２の溝４が指輪の断面の形状を選ばないことと共に、指輪の幅や厚さに対して対応できる範囲に幅があることで、サイズ別を考えた場合、本体の種類数は、極力抑えられる。
また、例えば、本体を塩化ビニルやシリコンゴムのような弾力性及び透明性を有する素材を使うことにより、安価で、違和感が軽減されると共に皮膚や指輪の損傷及び装飾性の損失も少ない。ただし、例えば、本体のサイズ別の区別を容易にするために透明感のある淡色での着色や本体２の溝４の底面ｈ等に着色を施したり、好みによりファッション性を伴う色彩で着色してもよい。さらに、一般的な金属性の指輪は、金やプラチナや銀等を素材とし、装飾性が高い反面、傷が付き易いという特性がある。指輪の着用位置が、物を握る・持つ等の日常的動作で、通常、傷が付くことが多く、本体２を着用することで防止できる利点もある。
また、さらに着脱方法しては、指と指輪との間に本体２のつめ５をはめ、図４の装着状態になるように押し込むことで着用でき、本体を引き抜くことで簡単に外すことができる。
以上のことから、本考案は、指輪の回転を抑え着用感を向上させるだけでなく、単なる指輪の傷防止にも使用でき、サイズ別を数種類持ち合わせることで既存の指輪に対応しやすくなり、その日の体調に合わせて着用できる。また、当人の指輪サイズより緩い指輪の着用に対しても抜け防止にもなり、さらには抜けることにより、紛失することを防止できる。
【産業上の利用可能性】
【００１５】    数年前から、急速にインターネットやテレビや誌上による通信販売が普及してきている。その際、指輪の販売においては、通常、業界の規定サイズにより、１号おきのサイズで設定されているもの又はオーダ―サイズの受注もあるが、奇数や偶数等の２号おきのサイズの受注も数多く見受けられる。当人の指輪サイズと同一のサイズが用意されていない場合、必然的に１号上のサイズを選んで購入するが、ここで、後にサイズ直しの選択をせざるを得なくなる場合が多い。しかし、サイズ直しは、高額に及ぶことや日数等がかかることもあり、緩い指輪を着用し続けるか、あるいは、着用しようとする指以外に合わせる。また、あるいは購入を完全に諦めてしまうケースが多い。
このように緩い指輪に対して、解決策の必要性や需要性が高いのにもかかわらず、商品化及び普及されていないのが現状であり、本考案は、指輪を提供される側及び提供する側にも、さらに、加齢や体重減少に伴うサイズダウンや指輪の借用等に対しても得策と考えられる。
【符号の説明】
【００１６】１：指輪
２：本体
３：リング内周面に沿う湾曲
４：溝
５：本体のつめ
ａ：指輪の固定部分
ｂ：指と指輪のサイズ差を調整する部分
ｃ：指輪の幅の装着可能範囲
ｄ：つめを設けた指輪の支えの部分
ｅ：指輪の厚さの装着可能範囲
ｆ：つめの下面
ｇ：溝の側面
ｈ：溝の底面
ｉ：本体の傾斜する側面
【図１】
0003167225.tif 000003
【図２】
0003167225.tif 000004
【図３】
0003167225.tif 000005
【図４】
0003167225.tif 000006